(57)【要約】【課題】従来のデジタル受信機における著作権保護方法ではコンテンツの二次利用の著作権保護装置が受信装置と一体化していることにより、製造業者ごとに著作権保護の堅牢性に差が生じる可能性があり、統一性がなかった。また新しい著作権保護方法が提案されるたびに受信機の市場回収、投入を繰り返し効率が悪かった。【解決手段】放送送出システムで暗号化されたコンテンツを受信するデジタル受信装置と、前記デジタル受信装置と分離可能な著作権保護装置とからなり、前記デジタル受信装置は暗号化されたコンテンツを前記著作権保護装置に提供し、前記著作権保護装置は暗号化されたコンテンツを復号し再暗号化し前記デジタル受信装置に提供し、前期デジタル受信装置は再暗号化されたコンテンツを復号し適宜処理した後に再暗号化し前記著作権保護装置に提供し、前記著作権保護装置は再暗号化されたコンテンツを復号し再暗号化して表示装置に提供する。【選択図】図１
2005057459.tif 000002
【特許請求の範囲】
【請求項１】
放送送出システムで暗号化されたコンテンツを受信するデジタル受信装置と、前記デジタル受信装置と分離可能な著作権保護装置とからなり、前記デジタル受信装置は暗号化されたコンテンツを前記著作権保護装置に提供し、前記著作権保護装置は暗号化されたコンテンツを復号し再暗号化し前記デジタル受信装置に提供し、前期デジタル受信装置は再暗号化されたコンテンツを復号し適宜処理した後に再暗号化し前記著作権保護装置に提供し、前記著作権保護装置は再暗号化されたコンテンツを復号し再暗号化して表示装置に提供することを特徴とするデジタル受信機における著作権保護方法。
【請求項２】
請求項１記載の著作権保護方法において、デジタル受信装置が再暗号化したコンテンツを著作権保護装置が復号し再暗号化した後に表示装置へ出力するか或いはコンテンツを蓄積するか選択することを特徴とするデジタル受信機における著作権保護方法。
【請求項３】
請求項１或いは請求項２のいずれか１項記載の著作権保護方法において、放送送出システムで暗号化されたコンテンツ内の制御情報に基づいて著作権保護装置の処理が制御されることを特徴とするデジタル受信機における著作権保護方法。
【発明の詳細な説明】
【技術分野】
【０００１】
本発明はデジタル放送受信機における著作権保護方法に関する。
【背景技術】
【０００２】
従来、デジタル放送受信機における著作権保護技術は、放送送出システムでコンテンツを暗号化し受信機側で復号する方法と、受信機側で復号したコンテンツを受信機側で再暗号化して表示装置に出力し表示装置或いは蓄積装置側で復号する方法があった。前者の方法は限定受信と呼ばれる方法で、視聴や蓄積を許可された顧客のみが視聴及び蓄積可能であり、無許可の顧客は視聴及び蓄積ができないことを基本とするコンテンツの一次利用における不正を防止する技術である。後者の方法はコンテンツのコピー防止技術に関するものであり、受信機から外部へ出力されるコンテンツは外部の蓄積装置に蓄積が不可能であることを基本としている。デジタルコンテンツが複製しても劣化しないという特徴を有していることと、コンテンツが受信機内でグラフィックスを重ねたり、デジタル音声を加えたりして価値が高められることを考慮すると、コンテンツの二次利用における不正は大きな被害となり、この不正二次利用を防止するための技術である。
【０００３】
上記のようなコンテンツの一次利用および二次利用における著作権保護には各種の暗号化技術、視聴及び蓄積の許可認証のための鍵交換技術が開示され、実際に市場で運用されている。コンテンツの一次利用における著作権保護の基本的な技術は限定受信であり、放送業者が限定受信の方法を規定し、その規定に従って製造業者が受信機を開発する。複数の受信機製造業者が存在する場合には、全ての製造業者が放送業者の規定した限定受信の方法に準拠していることを保証するために、端末側での限定受信に関係する部分をそれ以外の機能と分離して構成する方法が主流になりつつある。限定受信に関係する部分をモジュール化して受信機内部に実装したりＩＣカードにして受信機に挿抜可能にしたりするわけである。
【０００４】
北米のケーブル業界の自由競争化の活動の中で提案されたＰＯＤ（Ｐｏｉｎｔ  Ｏｆ  Ｄｅｐｌｏｙｍｅｎｔ）と呼ばれる分離型限定受信はその一例である。この際に重要項目となるのは限定受信に関係する部分とそれ以外の機能の部分との間でデータの不正使用が行われないようにする技術である。例え限定受信の方法が確立していても、限定受信に関係する部分とそれ以外の機能の部分との間でデータの不正使用すなわちデータを盗まれては著作権保護が実現できない。
【０００５】
図３に示したのは受信装置と受信装置に挿抜可能な著作権保護装置の従来例である。図３において、１は著作権保護装置、２はデジタル受信装置、３は接続手段、４は入力部、５は復号部、６は暗号化部、７は復号部、８はコンテンツ処理部、９は暗号化部、１２は出力部、１３は制御部、２０は放送送出システムで暗号化されたコンテンツ、２１は復調された暗号化コンテンツ、２２は復号されたコンテンツ、２３は再暗号化されたコンテンツ、２４は復号されたコンテンツ、２５は既処理のコンテンツ、２６は再々暗号化されたコンテンツ、３０は制御信号、３１はコンテンツ出力である。
【０００６】
以上のように構成されたデジタル受信機について、以下、動作を説明する。放送業者によって暗号化されたコンテンツ２０は受信装置２の入力部４で復調され、復調されたコンテンツ２１が接続手段３を介して著作権保護装置１に提供される。復調されたコンテンツ２１は著作権保護装置１の復号部５で復号され、復号されたコンテンツ２２は暗号化部６で再び暗号化される。再暗号化されたコンテンツ２３は接続手段３を介してデジタル受信装置２の復号部で復号される。復号されたコンテンツ２４はコンテンツ処理部８で適宜処理される。既処理コンテンツ２５は暗号化部９で再び暗号化され、暗号化されたコンテンツ２６は出力部で変調或いは形式変換等の処理をした後、コンテンツ出力３１が表示装置や外部蓄積装置などに提供される。
【０００７】
このようにしてデジタル受信装置２と著作権保護装置１との間でコンテンツが受け渡しされる際には、コンテンツが暗号化されているので、容易に不正利用されることはない。
【０００８】
特許文献１や特許文献２で分離可能な複数の装置間でのコンテンツの受け渡しにおける不正データ使用を防止する技術が開示されている。一方、コンテンツの二次利用に関する著作権保護つまりコンテンツの不正コピー防止の方法については、様々な技術が開示されているが、図２で説明したような著作権保護関係の機能とそれ以外の機能を分離する構成は開示されていない。
【特許文献１】特開平１１−２０５７６９号公報
【特許文献２】特開平１１−３５５８０９号公報
【発明の開示】
【発明が解決しようとする課題】
【０００９】
従来の技術では解決されていない課題は、上述のように、コンテンツの二次利用の著作権保護関係の機能が受信装置内で一体化していることにある。受信機の製造業者がそれぞれの著作権保護つまりコピー防止方法を実装すると、製造業者ごとに著作権保護の堅牢性つまり不正コピーの困難度に差が生じる可能性があり、コンテンツの著作権者はこの点を大いに危惧している。特にハリウッドのコンテンツ制作会社等の価値の高いコンテンツを有する著作権者が多い米国では、コンテンツの二次利用に関する著作権保護の堅牢性が受信機ごとに統一されていないことも著作権者がコンテンツの配信に躊躇している理由の一つであり、結果的にデジタル化移行にも障害となっている。米国以外でも価値の高いコンテンツが増えてくれば、同じ議論が持ち上がる。コンテンツの二次利用に関する著作権保護方法の堅牢性の標準化は、より堅牢性の高い著作権保護方法の確立と共に大きな課題である。また、１００パーセントの堅牢性の確保は非常に困難で、新しい著作権保護方法が提案されると不正にコンテンツを利用しようとするハッカーの技術も追従して不正コピーが根絶できていないのが実情であり、一旦著作権保護方法の詳細な実装規格が確立し統一されても、今後も次々と新しい著作権保護方法が提案されることが容易に予想される。この場合、市場に出回っている受信機は以前の著作権保護方法を採用しているので、全数回収して新しい受信機を市場投入することが必要になり、膨大な費用を費やすことになる。更に、コンテンツの二次利用に関する著作権保護方法においては、受信機だけでなく受信機と接続する蓄積装置にも適当な機能を実装することが必須であり、更に著作権保護の堅牢性の標準化を困難にしている。
【課題を解決するための手段】
【００１０】
この課題を解決するために本発明は、放送送出システムで暗号化されたコンテンツを受信するデジタル受信装置と、前記デジタル受信装置と分離可能な著作権保護装置とからなり、前記デジタル受信装置は暗号化されたコンテンツを前記著作権保護装置に提供し、前記著作権保護装置は暗号化されたコンテンツを復号し再暗号化し前記デジタル受信装置に提供し、前期デジタル受信装置は再暗号化されたコンテンツを復号し適宜処理した後に再暗号化し前記著作権保護装置に提供し、前記著作権保護装置は再暗号化されたコンテンツを復号し再暗号化して表示装置に提供することを特徴とするデジタル受信機における著作権保護方法を提供する。
【発明の効果】
【００１１】
本発明によれば、受信装置と著作権保護装置が分離可能であり、コンテンツの一次利用およびコンテンツの二次利用の両方について著作権保護方法を統一することができ、受信機ごとの堅牢性すなわち不正な一次利用及び二次利用を行うための困難度の差を排除できる。
【００１２】
また一次利用および二次利用の両方において、新たな著作権保護方法を受信装置の改変なしに採用可能であり既に市場に出回っている受信機の回収と新たな受信機の投入の必要がなくなり、合理的である。更に著作権保護装置内に蓄積機能を実現することにより、受信機と接続する蓄積装置の著作権保護機能の差による堅牢性の高低をなくすことが可能である。
【発明を実施するための最良の形態】
【００１３】
以下、本発明の実施の形態について、図１と図２を用いて説明する。
【００１４】
（実施の形態１）
図１は本発明に係るマルチプロセッサシステムのブロック図を示し、図１において１は著作権保護装置、２はデジタル受信装置、３は接続手段、４は入力部、５は復号部、６は暗号化部、７は復号部、８はコンテンツ処理部、９は暗号化部、１０は復号部、１１は暗号化部、１２は出力部、１３は制御部、２０は暗号化されたコンテンツ、２１は復調された暗号化コンテンツ、２２は復号されたコンテンツ、２３は再暗号化されたコンテンツ、２４は復号されたコンテンツ、２５は既処理コンテンツ、２６は再暗号化されたコンテンツ、２７は復号されたコンテンツ、２８は再暗号化されたコンテンツ、２９は制御情報、３０は制御信号、３１はコンテンツ出力である。
【００１５】
以上のように構成された著作権保護システムについて、以下、その動作を述べる。放送業者によって暗号化されたコンテンツ２０は受信装置２の入力部４で復調され、復調されたコンテンツ２１が接続手段３を介して著作権保護装置１に提供される。復調されたコンテンツ２１は著作権保護装置１の復号部５で復号され、復号されたコンテンツ２２は暗号化部６で再び暗号化される。再暗号化されたコンテンツ２３は接続手段３を介してデジタル受信装置２の復号部で復号される。復号されたコンテンツ２４はコンテンツ処理部８で適宜処理される。既処理コンテンツ２５は暗号化部９で再び暗号化され、暗号化されたコンテンツ２６は接続手段３を介して著作権保護装置１に提供され復号部１０で復号される。復号されたコンテンツ２７は暗号化部１１で再暗号化され、最暗号化されたコンテンツ２８は出力部１２で変調或いは形式変換等の処理をした後、コンテンツ出力３１として表示装置や外部蓄積装置などに提供される。
【００１６】
著作権保護装置１内の処理は制御部１３からの制御信号３０で管理、処理される。制御部１３の処理手順は復調されたコンテンツ内に含まれる著作権保護関連情報２９によって定義される。このようにしてコンテンツの一次利用および二次利用の両方において著作権保護に関する処理が著作権保護装置１内で実施され、デジタル受信装置２と著作権保護装置１の間でコンテンツが受け渡しされる際には、コンテンツが暗号化されている上に接続手段３の信号配列や信号属性は放送業者と製造業者以外に開示されないので、容易に不正利用されることはない。
【００１７】
（実施の形態２）
図２は著作権保護装置内に蓄積機能も含めた一実施例のブロック図であり、図２において、１は著作権保護装置、２はデジタル受信装置、３は接続手段、４は入力部、５は復号部、６は暗号化部、７は復号部、８はコンテンツ処理部、９は暗号化部、１０は復号部、１１は暗号化部、１２は出力部、１３は制御部、１５は蓄積部、２０は暗号化されたコンテンツ、２１は復調された暗号化コンテンツ、２２は復号されたコンテンツ、２３は再暗号化されたコンテンツ、２４は復号されたコンテンツ、２５は既処理コンテンツ、２６は再暗号化されたコンテンツ、２７は復号されたコンテンツ、２８は再暗号化されたコンテンツ、２９は制御情報、３０は制御信号、３１はコンテンツ出力、３２は再暗号化された蓄積用コンテンツ、３３は再生用コンテンツである。
【００１８】
著作権保護装置１の暗号化部１１の暗号化は制御部１３からの制御信号３０に従って、表示用か或いは蓄積用に選択される。蓄積用の暗号化が実施された蓄積用コンテンツ３２は蓄積部１５に蓄積され、制御部１３の制御信号３０に従って再生時には出力部１２に再生用データ３３が渡され出力３１される。
【００１９】
このように蓄積に関係するデータは全て著作権保護装置１内で閉じられていて、著作権保護装置１を物理的に堅牢にすれば容易にコンテンツを二次利用されることはない。物理的な堅牢性の実現は、例えば、著作権保護装置の部品を樹脂で被覆したり、筺体を強固にして破壊すれば回路も破壊されるようにする等すればよい。
【図面の簡単な説明】
【００２０】
【図１】本発明の実施の形態１に係る著作権保護システムの構成を示すブロック図
【図２】本発明の実施の形態２に係る著作権保護システムの構成を示すブロック図
【図３】従来技術の一例の構成を示すブロック図
【符号の説明】
【００２１】
１    著作権保護装置
２    デジタル受信装置
３    接続手段
４    入力部
５    復号部
６    暗号化部
７    復号部
８    コンテンツ処理部
９    暗号化部
１０    復号部
１１    暗号化部
１２    出力部
１３    制御部
１５    蓄積部
２０    暗号化されたコンテンツ
２１    復調されたコンテンツ
２２    復号されたコンテンツ
２３    再暗号化されたコンテンツ
２４    復号されたコンテンツ
２５    既処理コンテンツ
２６    再暗号化されたコンテンツ
２７    復号されたコンテンツ
２８    再暗号化されたコンテンツ
２９    制御情報
３０    制御信号
３１    コンテンツ出力
３２    蓄積用コンテンツ
３３    再生用コンテンツ
【図１】
2005057459.tif 000003
【図２】
2005057459.tif 000004
【図３】
2005057459.tif 000005